(57)【要約】【課題】不良品の発生割合を低く抑えられるリモコン装置を、部品点数を増やすことなく、低コストで実現する。【解決手段】リモコン装置のトップケース２は、ボトムケース３の底面３ａと面一となるトップケース底面を有し、トップケース底面には、トップケース２が有する側壁の一部２４から突出する突出部２９ａ、２９ｂの底面が含まれる。また、ボトムケース３の外周の一部には側壁が無い部分が設けられて、ボトムケース３は平板部３４を有し、平板部３４の底面３４ａ（３ａ）側の外周には段差部３６ａ、３６ｂが設けられ、段差部３６ａ、３６ｂが設けられる位置と対応する位置に設けられる突出部２９ａ、２９ｂによって平板部３４の一部が覆われている。【選択図】図３
2011015125.tif 000002
【特許請求の範囲】
【請求項１】
複数の貫通孔が形成されるトップケースと、
前記トップケースと重ね合わされて部品が収容される筐体を形成するボトムケースと、
前記筐体の前面側に配置される送信部と、を備え、
前記貫通孔から表出する操作キーを操作して前記送信部から信号を送信可能に設けられ、電子機器を遠隔操作するために用いられるリモコン装置において、
前記トップケースは、前記ボトムケースの底面と面一となるトップケース底面を有し、  前記トップケース底面には、前記トップケースが有する側壁の一部から突出する突出部の底面が含まれ、
前記ボトムケースの外周の一部には側壁が無い部分が設けられて、前記ボトムケースは平板部を有し、
前記平板部の底面側の外周には段差部が設けられ、前記段差部が設けられる位置と対応する位置に設けられる前記突出部によって前記平板部の一部が覆われていることを特徴とするリモコン装置。
【請求項２】
前記トップケース及び前記ボトムケースは平面視略矩形状に形成され、
前記トップケースの左右面側の側壁は、後面側の端部が前記ボトムケース側に向かって延出するように折れ曲がっており、
前記トップケース底面は、前記トップケースの後面側の側壁の底面と、前記トップケースの左右面側の側壁の一部の底面と、前記突出部の底面とからなり、
前記突出部は前記後面側の側壁から内側に突出し、
前記ボトムケースには、前面側の側壁と左右面側の側壁とが設けられ、後面側には側壁が設けられずに前記平板部が形成されていることを特徴とする請求項１に記載のリモコン装置。
【請求項３】
前記突出部は、前記後面側の側壁の左右の端部近傍に１つずつ設けられており、
前記段差部は、前記平板部の左右の端部近傍に１つずつ設けられていることを特徴とする請求項２に記載のリモコン装置。
【請求項４】
前記ボトムケースの底面側から前記トップケースに向けてビスが挿入されて、前記トップケースと前記ボトムケースとはビス留めされ、
前記ビス留めが行われる箇所は、前記筐体の前面寄りと後面寄りとの２箇所であることを特徴とする請求項３に記載のリモコン装置。
【発明の詳細な説明】
【技術分野】
【０００１】
本発明は、電子機器を遠隔操作するために用いられるリモコン装置に関する。
【背景技術】
【０００２】
従来、例えばテレビジョン受像機、録画再生機、エアコンディショナ等の電子機器は、一般的にリモコン装置によって遠隔操作を行えるようになっている。従来の一般的なリモコン装置は、その外殻がトップケースとボトムケースとから構成される。そして、トップケースとボトムケースとを重ね合わせることによって形成される筐体内部に、ボタン形状の操作キーが複数形成されるキーラバー、回路基板、例えば赤外信号を送信する送信器、電池等が収容される構造となっている（例えば、特許文献１、２参照）。
【０００３】
リモコン装置のトップケースには複数の貫通孔が形成されて、各貫通孔から上述の操作キーが表出した状態となっている。また、各操作キーはキーラバーが重ねられる回路基板から僅かに浮いた状態となっており、回路基板の各操作キーの真下に相当する位置にはスイッチ接点が設けられている。これにより、ユーザが操作キーを押すことによってスイッチ接点が接続し、そこに割り当てられた指令の信号（例えば赤外信号）が送信器より送信される。送信された信号は、操作対象となる電子機器の信号受光部で受光され、受け取った信号に基づいて電子機器は動作する。
【先行技術文献】
【特許文献】
【０００４】
【特許文献１】特開２０００−１５６８９４号公報
【特許文献２】特開２００６−４１１４０号公報
【発明の概要】
【発明が解決しようとする課題】
【０００５】
ところで、リモコン装置は、外観意匠の観点等から様々なデザイン設計が行われている。図５は、新たにデザインされたリモコン装置の外観構成を示す図で、図５（ａ）は概略斜視図、図５（ｂ）は前面側を正面から見た概略平面図である。図６は、図５に示すリモコン装置のトップケースの構成を示す概略斜視図であり、内面側を上とした場合の図である。図７は、図５に示すリモコン装置のボトムケースの構成を示す概略斜視図であり、内面側を上とした場合の図である。
【０００６】
図５に示すように、新たにデザインされたリモコン装置１０はトップケース２とボトムケース３とを備え、これらを重ね合わせることによって形成される筐体内部に、ボタン形状の操作キー４が複数形成されるキーラバー（図示せず）、回路基板（図示せず）、赤外信号を送信する送信部５、電池（図示せず）等が収容された構造となっている。操作キー４は、トップケース２に複数形成される貫通孔２８（図６参照）から表出した状態となっている。また、送信部５は、トップケース２とボトムケース３とを重ね合わせることによって前面側に形成される送信部用の開口６から、その一部が露出した状態となっている。
【０００７】
図６に示すように、樹脂成形品であるトップケース２は４つの側壁２１〜２４を有する。この内、前面側の側壁２１（送信部５が設けられる側の側壁である）、左右面側の側壁２２、２３はトップケース２の表面２５に対して略直交するように設けられている。一方、後面側の側壁２４は、トップケース２の表面２５に対して外側に向けて傾斜するように設けられ、前面側の側壁２１よりもトップケース２の表面２５からの高さが高くなっている。
【０００８】
このような構成に対応して、左右面側の側壁２２、２３の後面側の端部は、ボトムケース３側に延出し、平面視略への字状に折れ曲がった状態となっている（図５（ａ）参照）。また、前面側の側壁２１、左右面側の側壁２２、２３には、各側壁２１〜２３の底面内側寄りから突出するように、内側壁２６が形成されている（図６はトップケース２を裏側向きに配置しているので、底面が上となっている点に注意）。内側壁２６の左右面側の壁には、開口を外面側に有する係合溝２７が４つ形成されている。
【０００９】
図７に示すように、樹脂成形品であるボトムケース３は、前面側の側壁３１及び左右面側の側壁３２、３３の３つの側壁を有し、後面側には側壁が形成されず、平板部３４が設けられている。ボトムケース３の左右面側の側壁３２、３３には、トップケース２に形成される係合溝２７の位置と対応するように配置された係合突起３５が４つ形成されている。
【００１０】
このようなリモコン装置１０の組立てにあたっては、トップケース２の内側壁２６がボトムケース３の側壁３１〜３３の内側に収容されるように、トップケース２をボトムケース３に重ね合わせる。そして、弾性変形を利用してボトムケース３の係合突起３５をトップケース２の係合溝２７に嵌め合わせる。これにより、トップケース２がボトムケース３に対して固定された状態となる。
【００１１】
なお、この固定状態においては、トップケース２の後面側の側壁２４の底面２４ａとトップケース２の左右面側の側壁２２、２３の一部の底面２２ａ、２３ａとからなるトップケース底面と、ボトムケース３の底面３ａとが面一となるように、トップケース２は設計されている。
【００１２】
このように構成される新たなデザインのリモコン装置１０においては、樹脂成形品であるボトムケース３の平面部３４に反りが発生する場合があった。図８は、新たにデザインされたリモコン装置における問題点を説明するための説明図で、図８（ａ）は新たにデザインされたリモコン装置を底面側から見た場合の概略斜視図、図８（ｂ）は図８（ａ）のＢ−Ｂ位置における概略断面図である。
【００１３】
図８に示すように、ボトムケース３の平板部３４に反りが生じると、平板部３４の左右の端部側がトップケース２のトップケース底面（後面側の側壁２４の底面２４ａと左右面側の側壁２２、２３の一部の底面２２ａ、２３ａとからなる）に対して浮き上がって隙間Ｓが出来てしまう場合があった。そして、このような隙間Ｓが発生すると、リモコン装置１０は不良品として取り扱われる場合があり、歩留まりを良くするために改善の必要があった。
【００１４】
また、トップケース２をボトムケース３に固定するに際して、よりしっかりと固定するために、上述の係合突起３５と係合溝２７を用いた固定に加えてビス留めを行う場合がある。なお、ビス留めを行う場合には、例えばボトムケース３の底面側からトップケース２側に向けてビスを差し込んで固定する。そして、ビスで固定する箇所は、なるべくビス留め箇所を少なくするために、前面寄り（ボトムケース３基準で、前面側の側壁３１寄りであって、左面側の側壁３２と右面側の側壁３３とのほぼ中間位置に相当する位置）及び後面寄り（ボトムケース３基準で、平板部３４寄りであって左面側の側壁３２と右面側の側壁３３とのほぼ中間位置に相当する位置；図８の符号３７で示す位置が相当）の２箇所とすることができる。
【００１５】
このようにビス留めを行う場合、ビスを締める際に加わる力によって、平板部３４において反りが発生したり、元々平板部３４に反りが発生している場合には反りが助長されたりすることがわかった。この結果、リモコン装置１０のトップケース２とボトムケース３との間に大きな隙間Ｓが出来てしまう場合があった。そして、このような隙間Ｓが発生すると、リモコン装置１０は不良品として取り扱われる場合があり、歩留まりを良くするために改善の必要があった。
【００１６】
以上に述べた平板部３４の反りの影響を受けないようにするために、平板部３４の左右の両端部をビス留めすることも考えられる。しかし、ビス留め箇所を増やすと、部品点数が増えてしまうと共に、トップケース２をボトムケース３に固定する際の作業時間が増加して好ましくない。
【００１７】
また、部品点数を増やさない方法として、上述の係合突起３５と係合溝２７とからなる固定構造と同様の構造を、反りが発生する箇所に設けることも考えられる。しかし、このような構成の場合、リモコン装置１０のトップケース２及びボトムケース３の両方にアンダーカットを導入する必要があり、金型にかかるコストが高くなって好ましくない。
【００１８】
そこで、本発明の目的は、不良品の発生割合を低く抑えられるリモコン装置を、部品点数を増やすことなく、低コストで実現することである。
【課題を解決するための手段】
【００１９】
上記目的を達成するために本発明は、複数の貫通孔が形成されるトップケースと、前記トップケースと重ね合わされて部品が収容される筐体を形成するボトムケースと、前記筐体の前面側に配置される送信部と、を備え、前記貫通孔から表出する操作キーを操作して前記送信部から信号を送信可能に設けられ、電子機器を遠隔操作するために用いられるリモコン装置において、前記トップケースは、前記ボトムケースの底面と面一となるトップケース底面を有し、  前記トップケース底面には、前記トップケースが有する側壁の一部から突出する突出部の底面が含まれ、前記ボトムケースの外周の一部には側壁が無い部分が設けられて、前記ボトムケースは平板部を有し、前記平板部の底面側の外周には段差部が設けられ、前記段差部が設けられる位置と対応する位置に設けられる前記突出部によって前記平板部の一部が覆われていることを特徴としている。
【００２０】
本構成によれば、ボトムケースの平板部が反りを有していても、また、ビス留めに伴ってボトムケースの平板部に反りが発生するような場合でも、トップケースに設けられる突出部が壁となって平板部の反りを矯正できる。このため、トップケースとボトムケースとの間に隙間が発生しないようにできる。すなわち、本発明によれば、リモコン装置の製造不良を低減して、歩留まりの向上を期待できる。また、この構成は、新たに部品を増やさずに実現でき、更には、トップケース側にのみアンダーカットを導入すれば実現できるために、金型に要する費用の上昇は低く抑えられる。すなわち、不良品の発生割合を低減できるリモコン装置を低コストで実現可能である。
【００２１】
上記構成のリモコン装置の具体的な構成として、前記トップケース及び前記ボトムケースは平面視略矩形状に形成され、前記トップケースの左右面側の側壁は、後面側の端部が前記ボトムケース側に向かって延出するように折れ曲がっており、前記トップケース底面は、前記トップケースの後面側の側壁の底面と、前記トップケースの左右面側の側壁の一部の底面と、前記突出部の底面とからなり、前記突出部は前記後面側の側壁から内側に突出し、前記ボトムケースには、前面側の側壁と左右面側の側壁とが設けられ、後面側には側壁が設けられずに前記平板部が形成されていることとしてもよい。
【００２２】
上記構成のリモコン装置の更に具体的な構成として、前記突出部は、前記後面側の側壁の左右の端部近傍に１つずつ設けられており、前記段差部は、前記平板部の左右の端部近傍に１つずつ設けられていることとしてもよい。
【００２３】
上記構成のリモコン装置の更に具体的な構成として、前記ボトムケースの底面側から前記トップケースに向けてビスが挿入されて、前記トップケースと前記ボトムケースとはビス留めされ、前記ビス留めが行われる箇所は、前記筐体の前面寄りと後面寄りとの２箇所であることとしてもよい。ビス留めを行わなくてもトップケースとボトムケースとは固定できるが、ビス留めによって両者を更に確実に固定することができる。そして、本発明の構成によれば、このようなビス留めを行っても、リモコン装置の製造不良が発生する割合を低く抑えることができる。
【発明の効果】
【００２４】
本発明によれば、不良品の発生割合を低く抑えられるリモコン装置を、部品点数を増やすことなく、低コストで実現できる。
【図面の簡単な説明】
【００２５】
【図１】本実施形態のリモコン装置が備えるトップケースの一部構成を示す概略斜視図
【図２】本実施形態のリモコン装置が備えるボトムケースの一部構成を示す概略斜視図
【図３】本実施形態のようにリモコン装置を構成した場合の効果を説明するための図
【図４】本実施形態のリモコン装置の変形例を示す図
【図５】新たにデザインされたリモコン装置の外観構成を示す図
【図６】新たにデザインされたリモコン装置のトップケースの構成を示す概略斜視図
【図７】新たにデザインされたリモコン装置のボトムケースの構成を示す概略斜視図
【図８】新たにデザインされたリモコン装置における問題点を説明するための説明図
【発明を実施するための形態】
【００２６】
以下、本発明のリモコン装置の実施形態について、図面を参照しながら詳細に説明する。
【００２７】
本実施形態のリモコン装置は、図５〜図７に示したリモコン装置１０（新たにデザインされたリモコン装置）と基本的に同様の構成であり、一部を改良した構成となっている。このため、本実施形態のリモコン装置が有する各構成要素について、図５〜図７で用いた符合と同一の符号を用いて説明する。そして、原則として、先に説明した内容と重複する部分の説明については省略し、改良された部分について説明する。
【００２８】
図１は、本実施形態のリモコン装置が備えるトップケースの一部構成を示す概略斜視図で、内面側から見た図である。図１に示すように、本実施形態のリモコン装置１が備えるトップケース２は、後面側の側壁２４から内側（前面側）に向けて突出する板状の２つの突出部２９ａ、２９ｂを有する。第１突出部２９ａは後面側の側壁２４の左側端部に形成され、第２突出部２９ｂは後面側の側壁２４の右側端部に形成されている。この２つの突出部２９ａ、２９ｂはトップケース２と一体的に形成されている。
【００２９】
また、この２つの突出部２９ａ、２９ｂはいずれも平面視略矩形状に形成され、それぞれ、トップケース２の後面側の側壁２４と左右面側の側壁２２、２３の一方と連続して繋がった状態となっている。そして、この２つの突出部２９ａ、２９ｂの底面２９１ａ、２９１ｂは、トップケース２の後面側の側壁２４の底面２４ａ及び左右面側の側壁２２、２３の一部の底面２２ａ、２３ａと共に、トップケース底面を形成している。ここで、トップケース底面とは、ボトムケース３の底面３ａと面一となるトップケース２の底面のことである。
【００３０】
なお、一応断っておくが、本明細書では、トップケース２の表面２５（図５参照）が上となるようにリモコン装置１を配置した場合を基準に底面という表現を用いている。
【００３１】
図２は、本実施形態のリモコン装置が備えるボトムケースの一部構成を示す概略斜視図で、底面側から見た図である。図２に示すように、ボトムケース３の平板部３４の底面側の左右の端部（外周）には、それぞれ第１段差部３６ａと第２段差部３６ｂとが設けられている。この２つの段差部３６ａ、３６ｂは、トップケース２に形成される突出部２９ａ、２９ｂの形状に合わせて、その形状が決められている。
【００３２】
なお、本実施形態のボトムケース３においては、段差部３６ａ、３６ｂを形成した部分については、下段部分３６１ａ、３６１ｂの強度を確保するために肉厚を追加しており、平板部３４を内面側から見た場合に段差が形成されている（図２の破線の丸で囲まれた部分参照）。ただし、ボトムケース３の元々の肉厚が厚く、強度が確保される場合には、このように肉厚の追加を行う必要はない。
【００３３】
このようにトップケース２とボトムケース３とを構成した場合の効果について、図３を参照しながら説明する。図３は、本実施形態のようにリモコン装置を構成した場合の効果を説明するための図で、図３（ａ）はトップケースとボトムケースとが嵌め合わされた状態の一部構成を示す概略斜視図、図３（ｂ）は図３（ａ）のＡ−Ａ位置における概略断面図である。なお、図３においてはリモコン装置１の底面側が上となっている。
【００３４】
図３に示すように、トップケース２がボトムケース３に固定された状態においては、トップケース２の後面側の側壁２４の底面２４ａ、左右面側の側壁２２、２３の一部の底面２２ａ、２３ａ、及び突出部２９ａ、２９ｂの底面（これらは、本発明のトップケース底面に相当）が、ボトムケース３の底面と面一となっている。
【００３５】
そして、トップケース２の突出部２９ａ、２９ｂは、それぞれボトムケース３の段差部３６ａ、３６ｂが設けられる位置と対応するように設けられている。このために、ボトムケース３にトップケース２が固定された状態においては、トップケース２の突出部２９ａ、２９ｂが平板部３４（ボトムケース３）の一部を覆った状態となる。
【００３６】
したがって、ボトムケース３の平板部３４が反り（図３（ｂ）に矢印で示す方向の反り）を有していても、突出部２９ａ、２９ｂが壁となって平板部３４（ボトムケース３）の反りを矯正できる。また、トップケース２にボトムケース３の反りとは逆方向の反りが発生したとしても、段差部３６ａ、３６ｂの下段部分３６１ａ、３６１ｂが壁となってトップケース２の反りを矯正できる。
【００３７】
このために、本実施形態のリモコン装置１では、トップケース２とボトムケース３との間に隙間が発生し難く、リモコン装置１の製造不良を低減して歩留まりを良くすることができる。
【００３８】
なお、本実施形態のリモコン装置１は、トップケース２とボトムケース３とを確実に固定するために、両者をビス留めすることとしている。このビス留めは、ボトムケース３の底面側からトップケース２に向けてビスを挿入することによって行われる。また、ビス留めが行われる箇所は、上述したように、トップケース２とボトムケース３とが重ね合わされてできる筐体の前面寄りと後面寄りとの２箇所である。
【００３９】
この場合には、後面寄り（符号３７で示す部分）のビスを締める力によってボトムケース３の平板部３４に反りが発生したり、反りが助長されたりすることがあるが、本実施形態の構成では、突出部２９ａ、２９ｂが壁となって平板部３４の反りを矯正する。このため、リモコン装置１をビス留めする場合でも、トップケース２とボトムケース３との間に隙間が発生し難く、リモコン装置１の製造不良を低減して歩留まりを良くすることができる。
【００４０】
また、本実施形態のリモコン装置１では、平板部３４の反りによりトップケース２とボトムケース３との間に隙間が発生するのを防止するにあたって、部品点数が増えない。更に、平板部３４の反りを矯正するにあたって、トップケース２側にアンダーカットを導入する構成（突出部２９ａ、２９ｂを設けることによる）ではあるが、突出部２９ａ、２９ｂの形状は簡単な形状であり、ボトムケース３側にはアンダーカットを導入しない。このために、金型に要する費用の上昇は低く抑えられる。すなわち、不良品の発生割合を低減できるリモコン装置を低コストで実現可能である。
【００４１】
以上に示した実施形態は例示であって、本発明が適用される範囲は以上に示した実施形態の構成に限定されないのは言うまでもない。
【００４２】
例えば、本実施形態のリモコン装置１ではビス留めを行う構成としたが、ビス留めを行わない構成としてもよい。
【００４３】
また、本実施形態では、トップケース２に設ける突出部、及び、ボトムケース３に設ける段差部をそれぞれ、左右の端部側に分離して２つずつ形成した。しかしながら、この構成に限定される趣旨ではなく、平板部３４の反りを矯正できれば、他の構成としても構わない。すなわち、例えば、突出部及び段差部のそれぞれについて、左右に分離した構成とするのではなく、図４に示すように、左側から右側に一続きに繋がった構成としても良い。なお、図４は本実施形態のリモコン装置の変形例を示す図で、図４（ａ）はトップケースの構成を示す概略斜視図、図４（ｂ）はボトムケースの構成を示す概略斜視図である。図４（ａ）は、トップケースを内側から見た図で、図４（ｂ）はボトムケースを底面側から見た図である。また、図４における符号２９が本発明の突出部、符号３６が本発明の段差部に該当する。
【産業上の利用可能性】
【００４４】
本発明は、例えばテレビジョン受像機、録画再生機、エアコンディショナ等の電子機器のリモコン装置に対して適用できる。
【符号の説明】
【００４５】
１  リモコン装置
２  トップケース
３  ボトムケース
３ａ  ボトムケースの底面
４  操作キー
５  送信部
２１  トップケースの前面側の側壁
２２  トップケースの左面側の側壁
２２ａ  トップケースの左面側の側壁の一部の底面
２３  トップケースの右面側の側壁
２３ａ  トップケースの右面側の側壁の一部の底面
２４  トップケースの後面側の側壁
２４ａ  トップケースの後面側の側壁の底面
２８  貫通孔
２９ａ、２９ｂ  突出部
３１  ボトムケースの前面側の側壁
３２  ボトムケースの左面側の側壁
３３  ボトムケースの右面側の側壁
３４  平板部
３４ａ  平板部の底面
３６ａ、３６ｂ  段差部
２９１ａ、２９１ｂ  突出部の底面
【図１】
2011015125.tif 000003
【図２】
2011015125.tif 000004
【図３】
2011015125.tif 000005
【図４】
2011015125.tif 000006
【図５】
2011015125.tif 000007
【図６】
2011015125.tif 000008
【図７】
2011015125.tif 000009
【図８】
2011015125.tif 000010